(57)【要約】【課題】１個のＬＥＤで透光板の上端部を透光板長手方向全域に亘って均一に照明でき、それによって段板上面前端部の長手方向（左右方向）ほぼ全域を明るくすることのできる階段を提供する。【解決手段】各段板２の上面２ａ前端部に段板長手方向に延びる凹溝４を設け、この凹溝４に透明又は半透明の透光板６を埋め込むと共に、透光板６の一端面６ａに隣接する位置にＬＥＤ７を設け、各段板２のＬＥＤ７どうしを結線し、透光板６の他端面６ｂは一端面６ａから入光したＬＥＤ７の光が反射する光反射面を形成し、透光板６の下面６ｃは一端面からの光及び他端面で反射した光が拡散する光拡散面を形成し、透光板６の上面６ｄを発光面としている。【選択図】図２
0003115856.tif 000002
【実用新案登録請求の範囲】
【請求項１】
各段板の上面前端部に段板長手方向に延びる凹溝を設け、この凹溝に透明又は半透明の透光板を埋め込むと共に、透光板の一端面に隣接する位置にＬＥＤを設け、各段板のＬＥＤどうしを結線し、透光板の他端面は一端面から入光したＬＥＤの光が反射する光反射面を形成し、透光板の下面は一端面からの光及び他端面で反射した光が拡散する光拡散面を形成し、透光板の上面を発光面としてなる階段。
【請求項２】
凹溝に埋め込んだ透光板の上面と段板上面との段差によって滑り止め溝を形成してなる請求項１に記載の階段。
【請求項３】
透光板下面の光拡散面は、その長手方向中央部が両端部よりも光拡散率が高くなるように形成されてなる請求項１又は２に記載の階段。
【請求項４】
段板を支えるササラ桁を角パイプ材により形成して、このササラ桁の内部を各段板のＬＥＤ用電線の配線スペースとしてなる請求項１〜３の何れかに記載の階段。
【考案の詳細な説明】
【技術分野】
【０００１】
本考案は、夜間等の暗がりで階段を昇り降りする際に段板から足を踏み外さないように段板に照明手段を付設した階段に関するものである。
【背景技術】
【０００２】
従来技術として、照明手段を付設した階段の踏板については、特許文献１に記載されている。この段板は、段板本体の上面の前縁部近傍に設けた空所に透光部材を設け、この透光部材の内端を照明するＬＥＤ（発光ダイオード）を段板本体に設けたもので、階段使用時に、ＬＥＤからの光が透光部材を通してその上端部（踏板本体上面側）を照明することにより、段板上面の前縁部が視認し易く、足を踏み外す危険性を防止することができるようにしている。
【特許文献１】実開平１−９４５２３号公報
【考案の開示】
【考案が解決しようとする課題】
【０００３】
上記従来の照明付き段板は、段板本体の下端側にＬＥＤを取り付けたもので、ＬＥＤを１個取り付けたのでは、透光部材の上端部をその長手方向全域にわたって照明することができないから、１枚の段板に多数のＬＥＤが必要となり、従って段板本体に対する加工が多くなる上に、配線が煩雑となり、加えて消費電力も多くなるといった問題があった。
【０００４】
本考案は、上記の課題に鑑み、１個のＬＥＤで透光板の上端部を透光板長手方向全域にわたって有効に照明することができ、それにより段板上面前端部の長手方向（左右方向）ほぼ全域を明るくすることのできるようにした階段を提供することを目的とする。
【課題を解決するための手段】
【０００５】
上記課題を解決するための手段を、後述する実施形態の参照符号を付して説明すると、請求項１に係る考案の階段は、各段板２の上面２ａ前端部に段板長手方向に延びる凹溝４を設け、この凹溝４に透明又は半透明の透光板６を埋め込むと共に、透光板６の一端面６ａに隣接する位置にＬＥＤ７を設け、各段板２のＬＥＤ７どうしを結線し、透光板６の他端面６ｂは一端面６ａから入光したＬＥＤ７の光が反射する光反射面を形成し、透光板６の下面６ｃは一端面からの光及び他端面で反射した光が拡散する光拡散面を形成し、透光板６の上面６ｄを発光面としてなることを特徴としている。
【０００６】
請求項２は、請求項１に記載の階段において、凹溝４に埋め込んだ透光板６の上面６ｄと段板上面２ａとの段差によって滑り止め溝８を形成してなることを特徴とする。
【０００７】
請求項３は、請求項１又は２に記載の階段において、透光板６下面の光拡散面６ｃは、その長手方向中央部ｍが両端部ｎ，ｎよりも光拡散率が高くなるように形成されてなることを特徴とする。
【０００８】
請求項４は、請求項１〜３の何れかに記載の階段において、段板２を支えるササラ桁１を角パイプ材により形成して、このササラ桁１の内部を各段板２のＬＥＤ用電線の配線スペースとしてなることを特徴とする。
【考案の効果】
【０００９】
上記解決手段による考案の効果を、後述する実施形態の参照符号を付して説明すると、請求項１に係る考案によれば、夜間等の暗がりで階段を使用する時には、各段板２内のＬＥＤ７が点灯しているから、各ＬＥＤ７の光は、凹溝４に埋め込まれた透光板６の一端面１ａから入光して内部を通り、透光板６の上面（発光面）６ｄから発光して段板２の前端部を照明し、それにより階段昇り降り時の足の踏み外しを防止できる。
【００１０】
そして、特に、この階段にあっては、透光板６の他端面６ｂが光反射面を形成し、透光板６の下面６ｃが光拡散面を形成しているため、透光板６の一端面１ａから透光板６の内部に入った光は、透光板６の他端面（光反射面）６ｂでの反射作用と、透光板下面６ｃ（光拡散面）での光拡散作用とによって透光板上面（発光面）６ｄが効率良く発光されることになり、従って１枚の段板２に設けた１個のＬＥＤ７で、透光板６の上面６ｄを透光板長手方向全域にわたって照明でき、それにより段板２上面前端部の長手方向（左右方向）ほぼ全域を明るくすることができる。
【００１１】
また、１枚の段板２に対し１個のＬＥＤ７で済むから、段板２に対する加工が少なく、配線も簡単で、階段の製作コストが安くなる上に、消費電力も少なくなり、きわめて経済的である。
【００１２】
請求項２に係る考案によれば、凹溝４に埋め込んだ透光板６の上面６ｄと段板上面２ａとの段差によって滑り止め溝８を形成することにより、透光板６の上面６ｄのＬＥＤ発光部分が滑り止め溝８を形成するから、特別に滑り止め溝等の滑り止め手段を設ける必要がなく、それだけ段板２の構造が簡単で、その製作が容易となる。
【００１３】
請求項３に係る考案によれば、透光板下面の光拡散面６ｃは、その長手方向中央部ｍが両端部ｎ，ｎよりも光拡散率が高くなるように形成されているから、透光板上面の発光面６ｄは、透光板６の一端面６ａ側（発光側）と他端面６ｂ側（反射側）が明るく、中央部で輝度が減衰するという不都合が解消され、長手方向全域に亘って均一に発光するようになる。
【００１４】
請求項４に係る考案によれば、段板２を支えるササラ桁１を角パイプ材により形成し、このササラ桁１の内部を各段板２のＬＥＤ用電線１０の配線スペースとしたことにより、電線１０の外部露出を避けて、電線１０の保護と、美観の維持を図ることができ、スケルトン階段にも応用できるようになる。
【考案を実施するための最良の形態】
【００１５】
以下に本考案の好適実施形態について図面に基づいて説明すると、図１の(a) は本考案に係る階段の一部を示す断面側面図、(b) は同階段の一部斜視図であり、図２の(a) は段板の平面図、(b) は(a) のＸ−Ｘ線断面図である。また図３の(a) は透光板及びＬＥＤを示す斜視図、(b) は透光板の底面図である。図１に示す階段は、所定の傾斜角度に配設される左右両側一対のササラ桁１，１に、複数の段板２…を夫々段板受け３を介して横架してなるものである。
【００１６】
各ササラ桁１はスチール製の角パイプにより形成されたものである。また各段板２は、例えば木材の集成材によって形成されたもので、図１及び図２から分かるように、上面２ａが水平面状の踏み面とされる。そして、段板２上面２ａの前端部には、夫々段板長手方向に延びる比較的溝深さの深い凹溝４と比較的溝深さの浅い凹溝５とが、夫々段板２の左右両端部を残して並設され、溝深さの深い方の凹溝４には、透明（又は半透明でもよい）の透光板６が埋め込まれると共に、透光板６の一端面６ａに隣接する位置にＬＥＤ（発光ダイオード）７が設けられる。
【００１７】
凹溝４に埋め込まれる透光板６は、通称アクリル板と呼ばれている透明なアクリル樹脂板からなるもので、図３に示すように、この透光板６にはＬＥＤ７が隣接配置される側と反対側の端面６ｂに、光反射用の塗装が施される、例えば白色ペンキが塗布されることによって光反射面６ｂが形成されると共に、この透光板６の下面６ｃには、光拡散用のシルクスクリーン印刷が全面に施されることによって、一端面６ａから入光したＬＥＤ７からの光及び他端面６ｂ（光反射面）で反射した光が拡散する光拡散面６ｃが形成され、しかして透光板６の上面６ｄは、透光板６の一端面６ａからのＬＥＤ７の光を、他端面（光反射面）６ｂでの反射作用と下面６ｃ（光拡散面）での拡散作用とによって、透光板６の上方へ効率良く発光させる発光面６ｄを形成している。
【００１８】
上記透光板６下面の光拡散面６ｃにシルクスクリーン印刷される印刷柄は、図３の(b)
に示すように、ドット柄からなるもので、光拡散面６ｃの長手方向中央部ｍはドット密度が高く（即ち、光拡散率が高く）、両端部ｎ，ｎはドット密度が低く（即ち、光拡散率が低く）なるように印刷されている。これは、透光板６の一端面６ａ側（入光側）と他端面６ｂ（反射側）が明るく、中央部で輝度が減衰するという不都合を解消し、長手方向全域に亘って均一に光が発光するようにしたものである。尚、この実施形態では、印刷柄をドット柄としているが、ドット柄に限るものではない。
【００１９】
またこの透光板６は、当該透光板６の上面６ｄと段板２の上面２ａとの段差によって滑り止め溝８を形成するように、凹溝４に埋め込まれている。即ち、この透光板６は、高さ寸法ｈ（図２の(b) 及び図３参照）が凹溝４の深さｄよりもδだけ小さく形成されていて、凹溝４に埋め込んだ時に段板２の上面２ａとの間に上記δにほぼ相当する段差が形成され、この段差によって、図２の(b) に示すようにな滑り止め溝８が形成されることになる。
【００２０】
この透光板６を段板２の凹溝４に埋め込む際には、透光板６の下面６ｃと凹溝４との間に接着剤を介在させた状態で透光板６を凹溝４に埋め込み、段板２の上面２ａと透光板上面６ｄとの間に所定の段差を形成するように透光板６を凹溝４内に固定する。
【００２１】
また、透光板６が埋め込まれる凹溝４と平行に段板上面２ａの前端縁寄りに形成されている溝深さの浅い凹溝５は、それ自体で滑り止め溝を形成している。
【００２２】
凹溝４に埋め込まれた透光板６の一端面６ａ側に隣接した位置にＬＥＤ７を取り付けるには、図２の(a) 及び(b) に示すように、凹溝４の一端側に隣接するように段板２の端部下面からドリル等によって所要径の孔９を穿設し、この孔９の中に、電線１０につないだＬＥＤ７を図２の(b) に示すように差し込んで適宜固定してもよいし、あるいは図４に示す実施形態の段板２のように、樹脂等で形成したホルダー１２にＬＥＤ７をセットしたものを、透光板６の一端部に一体的に取り付け、そのＬＥＤ７の電線１０を孔９から下方へ抜く構造としてもよい。
【００２３】
図４に示す実施形態の段板２において、段板２の下面２ｂには孔９から段板２の後端側へ延びる配線隠蔽用の溝１３が形成されていて、同図の(e) から分かるように、孔９から抜いた電線１０を溝１３に沿って配線することにより、電線１０を隠蔽配線できるようになっている。
【００２４】
上記のように構成される段板２を備えた階段の施工にあたっては、上記段板２を所要数個作製しておいて、図１の(b) に示すように、左右両側一対のササラ桁１，１に、段板２を所定間隔おきに夫々段板受け３を介して横架し、階段を形成する。
【００２５】
そして、各段板２に設けたＬＥＤ７の電線１０は、図５の(a) 及び(b) に示すように、段板２の孔９から、段板受け３と段板２との間で段板２下面の配線隠蔽用溝１３に添わせて、段板受け３の付け根の近傍に設けた電線挿入孔１５より角パイプ製ササラ桁１の内部へ導くようにして外部へ露出することなく配線し、更にササラ桁１の内部を通る基幹配線１６とコネクター１４及び分岐配線１７を介して結線する。このように配線することによって、電線１０の外部露出を避けて、電線１０の保護と、美観の維持を図ることができる。
【００２６】
上記基幹配線１６は、図示は省略するが、電源及びコントローラーユニットに接続する配線とする。また、電源は常時「入」の状態にして、各段板２のＬＥＤ７を常時点灯させるようにしてもよいし、あるいは図１の(b) に示すように、例えば階段の側桁１所要部に、階段近辺の明るさを検知する明るさセンサー１１を設置し、これをコントローラーユニットに接続配線して、階段の使用に支障を来さない明るさの時には各段板２のＬＥＤ７が消灯し、階段使用に支障を来す明るさの時に各段板２のＬＥＤ７が点灯するようにしてもよい。
【００２７】
しかして、夜間等の暗がりで階段を使用する時には、各段板２内のＬＥＤ７が点灯しているから、各ＬＥＤ７の光は、凹溝４に埋め込まれた透光板６の一端面１ａから入光して内部を通り透光板６の上面（発光面）６ｄから発光して段板２の前端部を照明し、それによって階段昇り降り時の足の踏み外しを防止できる。
【００２８】
特に、この階段にあっては、透光板６の他端面６ｂは光反射用の塗装を施して光反射面とし、透光板６の下面６ｃは光拡散用の印刷を施して光拡散面としていることため、透光板６の一端面１ａから透光板６内部に入った光は、透光板６の他端面（光反射面）６ｂでの反射作用と、透光板下面６ｃ（光拡散面）での光拡散作用とによって透光板上面（発光面）６ｄが効率良く発光されることになり、従って１枚の段板２に設けた１個のＬＥＤ７で、透光板６の上面６ｄを透光板長手方向全域にわたって均一に照明でき、それにより段板２上面前端部の長手方向（左右方向）ほぼ全域を明るくすることができる。尚、光反射面６ｂは白色ペンキ塗布以外の方法によっても形成でき、また光拡散面６ｃもシルク印刷に限らず、これ以外の方法によっても形成できるものである。
【００２９】
また、この階段にあっては、１枚の段板２に１個のＬＥＤ７で済むから、段板２に対する加工が少なく、配線も簡単で、階段の製作コストが安くなる上に、消費電力も少なく、経済的である。
【００３０】
この実施形態において、透光板６は、これの上面６ｄと段板２の上面２ａとの間に段差を設けて滑り止め溝８を形成するように、凹溝４に埋め込まれているが、透光板６の上面６ｄと段板２の上面２ａとが面一となるように凹溝４に埋め込んでもよい。
【００３１】
透光板６の上面６ｄと段板２の上面２ａとが面一となるように凹溝４に透光板６を埋め込む場合は、実施形態のように、凹溝４とは別の滑り止め用の浅い凹溝５を設けるようにする。また、透光板６の上面６ｄと段板２の上面２ａとの間に段差を設けて滑り止め溝８を形成する場合には、滑り止め用の凹溝５は必ずしも設ける必要はない。
【００３２】
また、この実施形態では、段板２を支えるササラ桁１を角パイプ材により形成して、このササラ桁１の内部を各段板２のＬＥＤ用電線の配線スペースとしているが、これは一例であって、ササラ桁１としては木製の物などの非中空材を使用してもよく、その場合、電線はササラ桁１の側面をはわせるように配線することができる。但し、この実施形態のように、ササラ桁１を角パイプ材により形成して、これの内部を配線スペースとすることにより、電線１０の外部露出を避けて、電線１０の保護と、美観の維持を図ることができ、特にスケルトン階段などに好適となる。
【図面の簡単な説明】
【００３３】
【図１】(a) は本考案に係る階段の一部を示す断面側面図、(b) は同階段の一部斜視図である。
【図２】(a) は段板の平面図、(b) は(a) のＸ−Ｘ線断面図である。
【図３】(a) は透光板及びＬＥＤを示す斜視図、(b) は透光板の底面図である。
【図４】(a) は他の実施形態による段板の平面図、(b) は(a) のＹ−Ｙ線断面図であり、(c) は(b) の矢印イで示される部分の拡大図、(d) は(a) のＺ−Ｚ線断面図であり、 (e)は(d) の矢印ロで示される部分の拡大図である。
【図５】(a) は段板及びササラ桁部分の縦断面図、(b) は(a) の矢印ハで示される部分の拡大図である。
【符号の説明】
【００３４】
１            ササラ桁
２            段板
２ａ          段板の上面
３            段板受け
４            凹溝
６            透光板
６ａ          透光板の一端面
６ｂ          透光板の他端面（光反射面）
６ｃ          透光板の下面（光拡散面）
６ｄ          透光板の上面（発光面）
７            ＬＥＤ
８            滑り止め溝
９            孔
１０          電線
【図１】
0003115856.tif 000003
【図２】
0003115856.tif 000004
【図３】
0003115856.tif 000005
【図４】
0003115856.tif 000006
【図５】
0003115856.tif 000007